(57)【要約】【課題】例えば、地上デジタルテレビ放送の放送信号送信装置で、放送休止中に送信出力を停止する。【解決手段】所定の制御情報が含まれる放送信号を入力して当該放送信号を変調した後に送信する放送信号送信装置で、変調手段４２〜４７が入力信号を変調し、判定手段４８、５０が入力信号に前記制御情報が含まれているか否かを判定し、制御手段５０が、入力信号に前記制御情報が含まれていることが判定された場合には、変調手段により変調された信号を送信するように制御し、入力信号に前記制御情報が含まれていないことが判定された場合には、変調手段により変調された信号を非送信として無信号を送信するように制御する。【選択図】  図４
2008085637.tif 000002
【特許請求の範囲】
【請求項１】
所定の制御情報が含まれる放送信号を入力して当該放送信号を変調した後に送信する放送信号送信装置であって、
入力信号を変調する変調手段と、
前記入力信号に前記制御情報が含まれているか否かを判定する判定手段と、
前記判定手段により前記入力信号に前記制御情報が含まれていることが判定された場合には、前記変調手段により変調された信号を送信するように制御し、前記判定手段により前記入力信号に前記制御情報が含まれていないことが判定された場合には、前記変調手段により変調された信号を非送信として無信号を送信するように制御する制御手段と、
を備えたことを特徴とする放送信号送信装置。
【請求項２】
放送休止中には無入力であることに応じて所定のＮＵＬＬデータを出力する前段の装置から所定の制御情報が含まれる放送信号を入力して当該放送信号を変調した後に送信する放送信号送信装置であって、
入力信号を変調する変調手段と、
前記入力信号が前記ＮＵＬＬデータであるか否かを判定する判定手段と、
前記判定手段により前記入力信号が前記ＮＵＬＬデータではないことが判定された場合には、前記変調手段により変調された信号を送信するように制御し、前記判定手段により前記入力信号が前記ＮＵＬＬデータであることが判定された場合には、前記変調手段により変調された信号を非送信として無信号を送信するように制御する制御手段と、
を備えたことを特徴とする放送信号送信装置。
【発明の詳細な説明】
【技術分野】
【０００１】
本発明は、例えば、地上デジタルテレビ放送の放送信号送信装置に関し、特に、放送休止中に送信出力を停止する放送信号送信装置に関する。
【背景技術】
【０００２】
図１には、地上デジタルテレビ放送の送信システムの一例を示してある。
図２には、親局送信装置３の構成例を示してある。
なお、ここでは、説明の便宜上から、後述する本発明の実施例で参照する図１及び図２を例示したが、本発明を不要に限定する意図は無い。
【０００３】
ここで、放送を休止する場合を考える。
放送を休止する場合には、演奏所（会館）のＳＴＬ（Ｓｔｕｄｉｏ  ｔｏ  Ｔｒａｎｓｍｉｔｔｅｒ  Ｌｉｎｋ）送信装置１の送信が停止され、放送所（親局）のＳＴＬ受信装置２への入力信号が無くなる。ＳＴＬ受信装置２は、信号が入力されない場合には、例えばＴＳＰ（Ｔｒａｎｓｐｏｒｔ  Ｓｔｒｅａｍ  Ｐａｃｋｅｔ）信号のデータを全て“１”値にしてヘッダ情報を付けたフォーマットの信号（以下、ＮＵＬＬデータと言う）を親局送信装置３へ出力する。このＮＵＬＬデータは、親局送信装置３の直交周波数分割多重（ＯＦＤＭ：Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）変調器３１に入力される。
また、上記と同様な構成がＴＴＬ（Ｔｒａｎｓｍｉｔｔｅｒ  ｔｏ  Ｔｒａｎｓｍｉｔｔｅｒ  Ｌｉｎｋ）受信装置６にも採用されることがあり、放送休止中には、ＴＴＬ受信装置６から中継送信装置７へＮＵＬＬデータが出力されることがある。
【０００４】
図６には、ＯＦＤＭ変調器３１の構成例を示してある。
なお、図６では、説明の便宜上から、後述する本発明の実施例で参照する図４や図５に示されるのと同様な構成部分については同一の符号を付して示してあるが、ここでは、本発明を不要に限定する意図は無い。
図６に示されるＯＦＤＭ変調器３１では、入力されたＴＳＰ信号（データ）が、同期回路４１、符号化部４２、マッピング回路４３、フレーム構成部４４、ＩＦＦＴ（Ｉｎｖｅｒｓｅ  Ｆａｓｔ  Ｆｏｕｒｉｅｒ  Ｔｒａｎｓｆｏｒｍ）演算回路４５、ガード付加回路４６、直交変調器４７、Ｄ／Ａ変換器５１、アップコンバーター５２により、変調などの処理が施されて出力される。また、ＩＩＰ（ＩＳＤＢ−Ｔ  Ｉｎｆｏｒｍａｔｉｏｎ  Ｐａｃｋｅｔ）検出回路６２により検出されたＩＩＰの情報に基づいてＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）のデータが構成される。
【０００５】
【特許文献１】特開２００６−１８０２３５号公報
【発明の開示】
【発明が解決しようとする課題】
【０００６】
図６に示されるようなＯＦＤＭ変調器３１では、入力されるＴＳＰ信号についての異常の判定として、ヘッダが正常に入力されていないときに異常であると判定する。
しかしながら、放送休止の場合においても、ＯＦＤＭ変調器３１に入力されるＮＵＬＬデータにはヘッダが付いているため、入力されたデータは正常であると判定してしまう。このため、放送休止中においても、ＯＦＤＭ変調器３１では、全てが“１”値であるデータ（ＮＵＬＬデータ）を変調してＩＦ信号を出力してしまう。
【０００７】
このように、親局送信装置３では放送休止中であるか否かは受信信号の有無に基づいて判断されるが、放送が休止されてＳＴＬ受信装置２に受信信号が無くなると、ＳＴＬ受信装置２は親局送信装置３のＯＦＤＭ変調器３１へＮＵＬＬデータを出力するため、親局送信装置３では、放送休止中においても、ＮＵＬＬデータを変調して送信してしまい、ＩＦ信号の出力が止まらない。すると、親局送信装置３におけるＯＦＤＭ変調器３１以降の機器が停止せずに電波を出力してしまうことから、後段の中継送信装置７、１０の受信信号が無くならないために放送休止中を判断することができず、スケルチ動作（放送休止時に送信信号を止める動作）を行うことができないといった問題があった。
【０００８】
また、ＳＴＬ受信装置２及び親局送信装置３について上述したのと同様に、ＴＴＬ受信装置６及び中継送信装置７についても同様な問題が発生することが考えられ、つまり、放送が停止されたときにＴＴＬ受信装置６がＮＵＬＬデータを出力して、中継送信装置７が、放送休止中においても、ＮＵＬＬデータを変調して送信してしまい、スケルチ動作を行うことができないといった問題が考えられる。
本発明は、このような従来の事情に鑑み為されたもので、放送休止中に送信出力を停止することができる放送信号送信装置を提供することを目的とする。
【課題を解決するための手段】
【０００９】
上記目的を達成するため、本発明に係る放送信号送信装置では、所定の制御情報が含まれる放送信号を入力して、当該放送信号を変調した後に送信するに際して、次のような処理を行う。
すなわち、変調手段が、入力信号を変調する。判定手段が、前記入力信号に前記制御情報が含まれているか否かを判定する。制御手段が、前記判定手段により前記入力信号に前記制御情報が含まれていることが判定された場合には、前記変調手段により変調された信号を送信するように制御し、前記判定手段により前記入力信号に前記制御情報が含まれていないことが判定された場合には、前記変調手段により変調された信号を非送信として（つまり、送信しないようにして）無信号を送信するように制御する。
【００１０】
従って、入力信号に所定の制御情報が含まれる場合には、当該入力信号が放送信号であると判定して、つまり放送中であると判定して、当該入力信号を変調して送信し、また、入力信号に所定の制御情報が含まれない場合には、当該入力信号が放送信号ではないと判定して、つまり放送休止中であると判定して、当該入力信号を変調した信号を送信せずに、無信号を送信する（つまり、信号を送信しない）ようにしたため、放送休止中に送信出力を停止することができ、例えば、無駄な送信を低減して、効率化を図ることができる。
【００１１】
ここで、放送信号送信装置としては、例えば、親局送信装置や中継送信装置に適用することができる。
また、所定の制御情報が含まれる放送信号としては、種々な信号が用いられてもよく、例えば、所定の制御情報としてＩＩＰの情報を用いることができ、放送信号としてＴＳＰの信号からなる多重フレームを用いることができる。
また、信号を変調する処理部としては、種々な処理部が用いられてもよい。
また、入力信号が変調された信号と無信号とを切り替えて送信する制御の態様としては、種々な態様が用いられてもよく、例えば、無信号として“０”値の信号を出力する態様や、或いは、無信号とする場合にはスイッチをオフの状態として出力側に信号が出力されないようにする態様を用いることができる。なお、２つの信号経路の切り替えは、例えば、切替スイッチを用いて実現することができる。
【００１２】
本発明に係る放送信号送信装置では、放送休止中には無入力であることに応じて所定のＮＵＬＬデータを出力する前段の装置があり、当該前段の装置から所定の制御情報が含まれる放送信号を入力して当該放送信号を変調した後に送信するに際して、次のような処理を行う。
すなわち、変調手段が、入力信号を変調する。判定手段が、前記入力信号が前記ＮＵＬＬデータであるか否かを判定する。制御手段が、前記判定手段により前記入力信号が前記ＮＵＬＬデータではないことが判定された場合には、前記変調手段により変調された信号を送信するように制御し、前記判定手段により前記入力信号が前記ＮＵＬＬデータであることが判定された場合には、前記変調手段により変調された信号を非送信として（つまり、送信しないようにして）無信号を送信するように制御する。
【００１３】
従って、入力信号が所定のＮＵＬＬデータではない場合には、当該入力信号が放送信号であると判定して、つまり放送中であると判定して、当該入力信号を変調して送信し、また、入力信号が所定のＮＵＬＬデータである場合には、当該入力信号が放送信号ではないと判定して、つまり放送休止中であると判定して、当該入力信号を変調した信号を送信せずに、無信号を送信する（つまり、信号を送信しない）ようにしたため、放送休止中に送信出力を停止することができ、例えば、無駄な送信を低減して、効率化を図ることができる。
【００１４】
ここで、放送信号送信装置の前段の装置としては、例えば、親局送信装置の前段のＳＴＬ受信装置や、中継送信装置の前段のＴＴＬ受信装置を用いることができる。
また、所定のＮＵＬＬデータとしては、種々なものが用いられてもよく、一例として、ヘッダ情報と、全てが“１”値のデータから構成された信号を用いることができる。
【発明の効果】
【００１５】
以上説明したように、本発明によると、入力信号が放送信号であるか否かを判定して、入力信号が放送信号である場合には、当該入力信号を変調して送信し、また、入力信号が放送信号ではない場合には、放送休止中であるとみなして、無信号を送信するようにしたため、放送休止中に送信出力を停止することができる。
【発明を実施するための最良の形態】
【００１６】
本発明に係る実施例を図面を参照して説明する。
図１には、地上デジタルテレビ放送の送信システムの一例を示してある。
本例の送信システムは、演奏所（会館）に、６４ＱＡＭ（Ｑｕａｄｒａｔｕｒｅ  Ａｍｐｌｉｔｕｄｅ  Ｍｏｄｕｌａｔｉｏｎ）を使用するＳＴＬ（Ｓｔｕｄｉｏ  ｔｏ  Ｔｒａｎｓｍｉｔｔｅｒ  Ｌｉｎｋ）送信装置１を備えており、放送所（親局）に、６４ＱＡＭを使用するＳＴＬ受信装置２と、親局送信装置３及びそのアンテナ４と、６４ＱＡＭを使用するＴＴＬ（Ｔｒａｎｓｍｉｔｔｅｒ  ｔｏ  Ｔｒａｎｓｍｉｔｔｅｒ  Ｌｉｎｋ）送信装置５を備えており、演奏所（会館）と放送所（親局）との間に、マイクロ波の回線（マイクロ回線）２１を備えており、中継放送所Ａに、６４ＱＡＭを使用するＴＴＬ受信装置６と、中継送信装置（中継送信装置Ａ）７及びそのアンテナ８を備えており、放送所（親局）と中継放送所Ａとの間に、マイクロ波の回線（マイクロ回線）２２を備えており、中継放送所Ｂに、中継送信装置（中継送信装置Ｂ）１０と、その受信用のアンテナ９と、その送信用のアンテナ１１を備えている。
【００１７】
図２には、親局送信装置３の構成例を示してある。
本例の親局送信装置３は、直交周波数分割多重（ＯＦＤＭ：Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）変調器３１と、励振器３２と、電力増幅器３３と、フィルタ３４と、アンテナ４を備えている。
【００１８】
本例の送信システムにおいて行われる動作の一例を示す。
演奏所（会館）で編集された放送用のＴＳＰ（Ｔｒａｎｓｐｏｒｔ  Ｓｔｒｅａｍ  Ｐａｃｋｅｔ）信号がマスター装置からＳＴＬ送信装置１に入力される。
ＳＴＬ送信装置１では、入力されたＴＳＰ信号に対して６４ＱＡＭの変調を行い、変調後の信号（マイクロ波）をマイクロ波の回線２１を使用して放送所（親局）へ伝送する。
放送所（親局）において、受信されたマイクロ波がＳＴＬ受信装置２に入力され、ＳＴＬ受信装置２では、受信信号に対して６４ＱＡＭの復調を行い、復調した信号であるＴＳＰ信号を親局送信装置３へ出力する。
【００１９】
親局送信装置３では、前段のＳＴＬ受信装置２から入力されたＴＳＰ信号が、ＯＦＤＭ変調器３１に入力されて、ＯＦＤＭ変調されることでＩＦ（Ｉｎｔｅｒｍｉｄｉａｔｅ  Ｆｒｅｑｕｅｎｃｙ）信号へ変換される。このＩＦ信号は、励振器３２により、電力増幅器３３の歪が補正されて、ＵＨＦ（Ｕｌｔｒａ  Ｈｉｇｈ  Ｆｒｅｑｕｅｎｃｙ）信号へアップコンバートされる。その後、この信号は、電力増幅器３３により規定の送信電力に増幅され、フィルタ３４を経由して、アンテナ４から無線により各家庭の受信機などに向けて送信される。
【００２０】
親局送信装置３から無線送信された電波（以下、放送波と言う）を受信することができない地域には、信号を中継する中継放送所が必要となる。中継放送所としては、大きく２種類のタイプがあり、専用のマイクロ波の回線を利用したＴＴＬを用いたシステムと、放送波を受信して再送信するシステムがある。
【００２１】
まず、ＴＴＬを用いた送信システムとして、中継放送所Ａについて説明する。
親局送信装置３では、ＯＦＤＭ変調器３１から出力されるＩＦ信号を分配器などを経由させて分配して、ＴＴＬ送信装置５へ出力する。
ＴＴＬ送信装置５では、ＳＴＬ送信装置１と同様に、親局送信装置３からの受信信号に対して６４ＱＡＭの変調を行い、変調後の信号（マイクロ波）をマイクロ波の回線２２を使用して中継放送所Ａに伝送する。
中継放送所Ａにおいて、受信されたマイクロ波がＴＴＬ受信装置６に入力され、ＴＴＬ受信装置６では、受信信号に対して６４ＱＡＭの復調を行い、復調した信号であるＴＳＰ信号を中継送信装置７へ出力する。
中継送信装置７では、入力された信号に対して電力増幅等の処理を行った後に、その信号（放送波）をアンテナ８から無線により各家庭や次段の中継放送所に向けて送信する。
【００２２】
次に、放送波を受信して再送信する送信システムとして、中継放送所Ｂについて説明する。
中継放送所Ｂにおいて、親局送信装置３から無線送信された放送波が、アンテナ９により受信されて、中継送信装置１０に入力される。
中継送信装置１０では、受信した放送波に対して波形等化などの信号処理を行って電力増幅した後に、その放送波をアンテナ１１から無線により送信（再送信）する。
【００２３】
図３には、演奏所（会館）のＳＴＬ送信装置１から出力される多重フレーム列の一例を示してある。
１つの多重フレームには、複数のＴＳＰ信号（パケット）が含まれており、その中の１つとしてＴＳＰ信号の一種であるＩＩＰというパケット領域が含まれている。つまり、１多重フレーム当たり１パケット（１ＴＳＰ）としてＩＩＰが多重フレームに挿入されており、１つの多重フレームには１つのＩＩＰが含まれている。例えば、演奏所（会館）のＳＴＬ送信装置１において、ＩＩＰには、変調方式やＳＦＮ（Ｓｉｎｇｌｅ  Ｆｒｅｑｕｅｎｃｙ  Ｎｅｔｗｏｒｋ）の遅延時間などに関する制御情報が含められる。また、ＩＩＰ以外のＴＳＰ信号には、映像や音声が含まれている。
【００２４】
なお、多重フレームでは、例えば、モード１〜３及びガードインターバル長の組み合わせによって、１多重フレーム中のＴＳＰの数が異なる。一例として、ＡＲＩＢ  ＳＴＤ−Ｂ３１の規格では、モード３及びガードインターバル１／８の場合には、１多重フレームは４６０８個のＴＳＰから構成される。ここで、各モード１〜３では、ＯＦＤＭにおけるＦＦＴ（Ｆａｓｔ  Ｆｏｕｒｉｅｒ  Ｔｒａｎｓｆｏｒｍ）の数などが変更される。
【００２５】
以下の実施例（第１実施例〜第２実施例）では、地上デジタルテレビ放送の送信装置において、ＯＦＤＭ変調方式によりＴＳＰ（Ｔｒａｎｓｐｏｒｔ  Ｓｔｒｅａｍ  Ｐａｃｋｅｔ）信号を変調するＯＦＤＭ変調器３１の回路について説明する。
また、以下の実施例（第１実施例〜第２実施例）では、変調機能を備えた親局送信装置３に本発明を適用した場合を示すが、例えば、変調機能を備えた中継送信装置７に本発明を適用することも可能である。
【実施例１】
【００２６】
本発明の第１実施例を説明する。
図４には、本例のＯＦＤＭ変調器３１の構成例を示してある。
本例のＯＦＤＭ変調器３１は、同期回路４１と、符号化部４２と、マッピング回路４３と、フレーム構成部４４と、ＩＦＦＴ（Ｉｎｖｅｒｓｅ  Ｆａｓｔ  Ｆｏｕｒｉｅｒ  Ｔｒａｎｓｆｏｒｍ）演算回路４５と、ガード付加回路４６と、直交変調器４７と、ＩＩＰ（ＩＳＤＢ−Ｔ  Ｉｎｆｏｒｍａｔｉｏｎ  Ｐａｃｋｅｔ）検出回路４８と、出力部４９と、判定回路５０と、Ｄ／Ａ（Ｄｉｇｉｔａｌ  ｔｏ  Ａｎａｌｏｇ）変換器５１と、アップコンバーター５２を備えている。
【００２７】
本例のＯＦＤＭ変調器３１において行われる信号処理の一例を示す。
ＯＦＤＭ変調器３１に入力されたＴＳＰ信号（データ）が、同期回路４１及びＩＩＰ検出回路６２に入力される。
同期回路６１は、入力されたＴＳＰ信号のヘッダを検出した後に、ＯＦＤＭ変調に使用するデータを抜き出して符号化部４２へ出力する。符号化部４２は、伝送時にデータに誤りが生じても訂正することができるように、入力されたデータに対して畳み込み符号化やインターリーブといった信号処理を行い、その結果をマッピング回路４３へ出力する。マッピング回路４３は、符号化部４２から入力された信号をＩ、Ｑ軸の所定点の情報へ変換してフレーム構成部４４へ出力する。
【００２８】
また、フレーム構成部４４には、受信機で伝送路推定を行うためのパイロットとして、ＣＰ（Ｃｏｎｔｉｎｕａｌ  Ｐｉｌｏｔ）及びＳＰ（Ｓｃａｔｔｅｒｅｄ  Ｐｉｌｏｔ）をＢＰＳＫ（Ｂｉｎａｒｙ  Ｐｈａｓｅ  Ｓｈｉｆｔ  Ｋｅｙｉｎｇ）信号で変調した信号と、変調方式等の情報を受信機へ伝えるためのＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）のデータと、予備データ伝送用のＡＣ（Ａｕｘｉｌｉａｒｙ  Ｃｈａｎｎｅｌ）のデータをＤＢＰＳＫ（Ｄｉｆｆｅｒｅｎｔｉａｌ−ＢＰＳＫ）信号として変調した信号が入力される。
【００２９】
ＩＩＰ検出回路４８は、入力されたＴＳＰ信号の中からＩＩＰの情報を検出する。本例では、ＩＩＰ検出回路４８により検出されたＩＩＰの情報に基づいてＴＭＣＣのデータが構成される。
また、ＩＩＰ検出回路４８は、入力されたＴＳＰ信号の中にＩＩＰが存在するか否かを判定し、その判定結果を示す情報を判定回路５０へ出力する。
【００３０】
フレーム構成部４４は、マッピング回路４３から入力されたデータやＳＰなどの信号を規格に合った順序で各サブキャリアに割り当てて、フレームを構成し、その信号をＩＦＦＴ演算回路４５へ出力する。
ＩＦＦＴ演算回路４５は、フレーム構成部４４から入力されたＩ、Ｑ軸の信号（周波数軸のデータ）を逆フーリエ変換して時間軸の波形へ変換してガード付加回路４６へ出力する。
ガード付加回路４６は、ＩＦＦＴ演算回路４５から入力された信号に対してガードインターバル部分を付加してデータのシンボルを生成し、その信号を直交変調器４７へ出力する。
直交変調器４７は、ガード付加回路４６から入力された信号を直交変調して判定回路５０へ出力する。
【００３１】
出力部４９は、“０”値の信号を判定回路５０へ出力する。
判定回路５０は、ＩＩＰ検出回路４８から入力された情報に基づいて、ＩＩＰが存在することが判定された場合には直交変調器４７から入力された信号をＤ／Ａ変換器５１へ出力し、ＩＩＰが存在しないことが判定された場合には出力部４９から入力された信号をＤ／Ａ変換器５１へ出力する。
Ｄ／Ａ変換器５１は、判定回路５０から入力された信号をＤ／Ａ変換してアップコンバーター５２へ出力する。
アップコンバーター５２は、Ｄ／Ａ変換器５１から入力された信号をアップコンバートしてＩＦ信号として励振器３２へ出力する。また、このＩＦ信号は分配されてＴＴＬ送信装置５に入力される。
【００３２】
次に、本例のＯＦＤＭ変調器３１のＩＩＰ検出回路４８や判定回路５０により行われる処理について詳しく説明する。
ＯＦＤＭ変調器３１に入力されたＴＳＰ信号をＩＩＰ検出回路４８に入力して、ＩＩＰの情報を検出する。ＩＩＰ検出回路４８は、その検出結果をフラグとして判定回路５０へ渡す。このフラグは、一例として、ＩＩＰが検出された場合にはハイ（Ｈｉｇｈ）レベルとされてＩＩＰが未検出である場合にはロウ（Ｌｏｗ）レベルとされる信号が用いられる。
【００３３】
判定回路５０は、ＩＩＰ検出回路４８から受け取ったフラグのレベルを判定して、その判定結果に基づいて、Ｄ／Ａ変換器５１へ出力する信号を選択する。本例では、判定回路５０は、受け取ったフラグがハイレベルの信号であった場合には、直交変調器４７からの出力をＤ／Ａ変換器５１へ渡し、逆に、受け取ったフラグがロウレベルの信号であった場合には、直交変調器４７からの出力を遮断して、出力部４９からの全てゼロ（“０”値）の信号をＤ／Ａ変換器５１へ渡す。
この制御により、放送中であれば、ＯＦＤＭ変調器３１に入力されたＴＳＰ信号からＩＩＰが検出されるため、通常のＯＦＤＭ変調後のＩＦ信号が出力され、逆に、放送休止中であれば、ＩＩＰが検出されないため、ＩＦ信号は全てゼロとなり、つまり、ＩＦ信号が出力されなくなる。
【００３４】
ここで、ＩＩＰの有無の検出の誤判定を防止するために保護を設けることも可能である。
例えば、ＩＩＰ検出回路４８では、ＩＩＰを検出したときにすぐにハイレベルのフラグを出力するのではなく、連続した複数（例えば、３つ）の多重フレームのＴＳＰを観測して、これら複数の多重フレームについて連続してＩＩＰを検出したときにハイレベルのフラグを出力するといった保護を設けることができる。同様に、ＩＩＰ検出回路４８では、ＩＩＰが検出されないときについても、すぐにロウレベルのフラグを出力するのではなく、連続した複数（例えば、３つ）の多重フレームのＴＳＰを観測して、これら複数の多重フレームについて連続してＩＩＰが検出されなかったときにロウレベルのフラグを出力するといった保護を設けることができる。ＩＩＰは１多重フレーム当たり１ＴＳＰしかないため、誤判定を避けるために、数多重フレームを観測することが望ましい。
一例として、ＩＩＰの有無の検出は、１フレーム以上行われ、更に、多くのフレームについて行われた方が、時間はかかるが、確実性は高まり、実用上で有効な程度で保護が設けられればよい。
【００３５】
なお、本例では、放送休止中にＯＦＤＭ変調器３１に入力されるＮＵＬＬデータにはヘッダが付加されているため、そのヘッダにより多重フレーム中の各パケットの区切りを検出して、ＩＩＰが存在するか否かを検出する。本例では、複数の放送番組或いは制御情報を識別するための複数の階層（例えば、Ａ階層、Ｂ階層、Ｃ階層、その他の階層）が設けられており、各パケット中にはそのパケットの階層を識別する情報（ＩＤ情報）が含まれており、ＩＩＰ検出回路４８では、ＩＩＰのパケットに含まれる所定のＩＤ情報が検出された場合にはＩＩＰが存在すると判定し、ＩＩＰのパケットに含まれる所定のＩＤ情報が検出されない場合にはＩＩＰが存在しないと判定する。
【００３６】
ここで、ＮＵＬＬデータではいずれの階層のＩＤ情報も検出されないことから、ＩＩＰ以外の例えば番組を識別するＩＤ情報の有無を検出して放送休止中であるか否かを判定するような態様も考えられるが、例えば、複数の番組の中の一部の番組のみが停止中である場合にはその停止中の番組のＩＤ情報は検出されないが放送自体は休止されていないという場合もあるため、ＩＩＰのＩＤ情報に基づいて放送休止中であるか否かを判定するのが確実性が高いと考えられる。
【００３７】
また、本例では、放送休止中には、ゼロ信号（無信号）を判定回路５０から出力することで送信を停止する構成を示したが、他の構成例として、判定回路５０の代わりに、直交変調器４７からの入力をＤ／Ａ変換器５１へ出力する状態とＤ／Ａ変換器５１への出力を無し（オフ）とする状態とを切り替えるスイッチ回路を設けて、Ｄ／Ａ変換器５１への出力を無し（オフ）とすることで送信を停止することも可能であり、この場合には、出力部４９は設けられなくともよい。
【００３８】
以上のように、本例の地上デジタルテレビ放送の親局送信装置３では、ＯＦＤＭ変調器３１に入力されるＴＳＰ信号からＩＩＰを検出し、ＩＩＰを検出することができない場合には、放送休止中であると判定して、ＯＦＤＭ変調器３１からの出力信号を停止させることが行われる。
従って、本例では、ＯＦＤＭ変調器３１に入力される信号を観測して放送休止中であるか否かが判定されて、放送休止中である場合には、ＯＦＤＭ変調器３１からのＩＦ信号の出力を停止させることで、親局送信装置３からの送信信号の出力を停止させることができ、これにより、後段の中継送信装置７、１０に信号を与えないようにすることができ、スケルチ制御が可能となる。
【００３９】
なお、本例の親局送信装置３のＯＦＤＭ変調器３１では、符号化部４２やマッピング回路４３やフレーム構成部４４やＩＦＦＴ演算回路４５やガード付加回路４６や直交変調器４７により入力信号から変調信号を生成する機能により変調手段が構成されており、ＩＩＰ検出回路４８や判定回路５０により入力信号中のＩＩＰの有無を判定する機能により判定手段が構成されており、判定回路５０によりＩＩＰの有無に応じて直交変調器４７からの出力と出力部４９からの出力（ゼロ信号）を切り替えて送信するように制御する機能により制御手段が構成されている。
【実施例２】
【００４０】
本発明の第２実施例を説明する。
図５には、本例のＯＦＤＭ変調器３１の構成例を示してある。
本例のＯＦＤＭ変調器３１は、同期回路６１と、符号化部４２と、マッピング回路４３と、フレーム構成部４４と、ＩＦＦＴ演算回路４５と、ガード付加回路４６と、直交変調器４７と、ＩＩＰ検出回路６２と、出力部４９と、判定回路５０と、Ｄ／Ａ変換器５１と、アップコンバーター５２を備えている。
ここで、図５では、図４に示されるＯＦＤＭ変調器３１と同様な構成部分については、同一の符号を付して示してあり、本例では、詳しい説明を省略する。
【００４１】
本例のＯＦＤＭ変調器３１の同期回路６１や判定回路５０により行われる処理について詳しく説明する。
なお、本例のＩＩＰ検出回路６２では、ＩＩＰの有無の判定を行わず、判定回路５０へ判定結果の情報（フラグ）を出力することも行わない。
ＯＦＤＭ変調器３１に入力されたＴＳＰ信号は、同期回路６１に入力される。
同期回路６１は、入力されたＴＳＰ信号がＮＵＬＬデータであるか否かを検出する。ここで、ＮＵＬＬデータの検出方法としては、例えば、ＴＳＰ信号内のヘッダにより各パケットの区切りを検出し、ＴＳＰ信号内のヘッダ以外のデータを比較回路（本例では、同期回路６１内の比較回路）に入力し、ヘッダ以外のデータが全て“１”値であるか否かを観測し、全て“１”値であればＮＵＬＬデータであるとする。
【００４２】
同期回路６１は、入力されたＴＳＰ信号がＮＵＬＬデータであるか否かの判定結果を示す情報を例えばハイレベル或いはロウレベルを取るフラグとして判定回路５０へ出力する。
判定回路５０は、同期回路６１から受け取ったフラグのレベルを判定し、当該判定結果に応じて、Ｄ／Ａ変換器５１へ出力する信号を選択して、ＩＦ信号の出力を制御する。
【００４３】
ここで、ＮＵＬＬデータの検出に保護を設けることも可能であり、例えば、所定の複数（例えば、２つ）の多重フレーム以上連続してＮＵＬＬデータであることを検出した場合に、ＮＵＬＬデータが入力されたと判定して、同期回路６１から判定回路５０へそれを示すフラグを渡すことで保護を設けることができ、同様に、ＮＵＬＬデータの入力ではないことを判定する場合にも保護を設けることができる。
なお、ＮＵＬＬデータを検出する場合、１つのＴＳＰ単位を観測すれば検出が可能であるが、通常、放送中の多重フレームの中にも伝送レート等の調整のためにＮＵＬＬ（“１”値が並ぶデータ）が挿入されている可能性があるため、誤判定を避けるためには、数ＴＳＰだけを観測するのではなく、数十ＴＳＰ〜１つの多重フレームの単位で観測するのが望ましい。
一例として、ＮＵＬＬデータであるか否かの検出は、１フレーム以上行われ、更に、多くのフレームについて行われた方が、時間はかかるが、確実性は高まり、実用上で有効な程度で保護が設けられればよい。
【００４４】
以上のように、本例の地上デジタルテレビ放送の親局送信装置３では、ＯＦＤＭ変調器３１に入力されるＴＳＰ信号がＮＵＬＬデータであるか否かを判定し、そうである場合には、放送休止中であると判定して、ＯＦＤＭ変調器３１からの出力信号を停止させることが行われる。
従って、本例では、ＯＦＤＭ変調器３１に入力される信号を観測して放送休止中であるか否かが判定されて、放送休止中である場合には、ＯＦＤＭ変調器３１からのＩＦ信号の出力を停止させることで、親局送信装置３からの送信信号の出力を停止させることができ、これにより、後段の中継送信装置７、１０に信号を与えないようにすることができ、スケルチ制御が可能となる。
【００４５】
なお、本例の親局送信装置３のＯＦＤＭ変調器３１では、符号化部４２やマッピング回路４３やフレーム構成部４４やＩＦＦＴ演算回路４５やガード付加回路４６や直交変調器４７により入力信号から変調信号を生成する機能により変調手段が構成されており、同期回路６１や判定回路５０により入力信号がＮＵＬＬデータであるか否かを判定する機能により判定手段が構成されており、判定回路５０により入力信号がＮＵＬＬデータであるか否かに応じて直交変調器４７からの出力と出力部４９からの出力（ゼロ信号）を切り替えて送信するように制御する機能により制御手段が構成されている。
【００４６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４７】
【図１】本発明の一実施例に係る地上デジタルテレビ放送の送信システムの構成例を示す図である。
【図２】親局送信装置の構成例を示す図である。
【図３】多重フレームの一例を示す図である。
【図４】本発明の第１実施例に係るＯＦＤＭ変調器の構成例を示す図である。
【図５】本発明の第２実施例に係るＯＦＤＭ変調器の構成例を示す図である。
【図６】ＯＦＤＭ変調器の構成例を示す図である。
【符号の説明】
【００４８】
１・・ＳＴＬ送信装置、  ２・・ＳＴＬ受信装置、  ３・・親局送信装置、  ４、８、９、１１・・アンテナ、  ５・・ＴＴＬ送信装置、  ６・・ＴＴＬ受信装置、  ７、１０・・中継送信装置、  ２１、２２・・マイクロ回線、  ３１・・ＯＦＤＭ変調器、  ３２・・励振器、  ３３・・電力増幅器、  ３４・・フィルタ、  ４１、６１・・同期回路、  ４２・・符号化部、  ４３・・マッピング回路、  ４４・・フレーム構成部、  ４５・・ＩＦＦＴ演算回路、  ４６・・ガード付加回路、  ４７・・直交変調器、  ４８、６２・・ＩＩＰ検出回路、  ４９・・出力部、  ５０・・判定回路、  ５１・・Ｄ／Ａ変換器、  ５２・・アップコンバーター、
【図１】
2008085637.tif 000003
【図２】
2008085637.tif 000004
【図３】
2008085637.tif 000005
【図４】
2008085637.tif 000006
【図５】
2008085637.tif 000007
【図６】
2008085637.tif 000008